(57)【要約】      （修正有）【課題】テーブルの折畳み収納時にラッチの回転操作を人手により行わなくても自動的にラッチを回転させ、テーブルの折畳み操作だけでラッチをテーブル保持側に位置付けることができるようにしたテーブルの固定機構を提供すること。【解決手段】ベース部材１に、ラッチ２をベース部材１に回転自在に、ブラケット３はバネ４を介在させた水平な軸５により前後揺動かつ復帰可能に設け、前記ラッチ２には、テーブルを開放位置に回転させたとき原位置に復帰させる回転力を付与する弾性体６を設ける一方、前記ブラケット３には、テーブル開放位置で原位置復帰力を受けている前記ラッチ２をその開放位置に保持する係止部3dを設けると共に、当該ブラケット３がテーブルで押されて後退側に揺動すると前記ラッチ２を保持している係止部3dが前記ラッチ２の係止部2cから離脱することにより、ラッチ２を前記弾性体による回転力によって原位置に自動復帰させるようにしたこと。【選択図】図３
2005178680.tif 000002
【特許請求の範囲】
【請求項１】
ベース部材に、テーブルを挟持して保持するラッチとブラケットを、ラッチはベース部材に回転自在に、ブラケットはバネを介在させた水平な軸によりベース部材に対し前後揺動かつ復帰可能に設け、前記ラッチには、テーブル保持位置を原位置とすると共にテーブル開放位置に回転させたとき原位置に復帰させる回転力を付与する弾性体を関連させて設ける一方、前記ブラケットには、テーブル開放位置で原位置復帰力を受けている前記ラッチをその開放位置に保持する係止部を設けると共に、当該ブラケットがテーブルで押されて後退側に揺動すると前記ラッチを保持している係止部が前記ラッチの係止部から離脱することにより、ラッチを前記弾性体による回転力によって原位置に自動復帰させるようにしたことを特徴とする乗物用シートの背面テーブル固定機構。
【請求項２】
操作ツマミ部と該ツマミ部と直交した回転軸を一体に具備して平面略Ｔ状などに形成したラッチと、該ラッチをその回転軸により前面側において回転自在に支持したベース部材と、該ベース部材の裏面に前記ラッチの回転軸と直交する軸によりバネを介在させて支持され、かつ、前記バネにより垂直姿勢への復帰力が作用する前後揺動可能なブラケットを備えており、前記ラッチはそのツマミ部を垂直向きにする弾性体の変形による回転力が回転軸に付与されるようにして設ける一方、前記ツマミ部がテーブルロックを解除する水平姿勢に回されると、前記弾性体が回転軸によって変形されると共に、前記ツマミ部裏面と前記ブラケット前面とがそれらに形成した係止部の凸部と凹部において結合してこのツマミ部の水平姿勢を保持し、収納されるテーブル縁部によって前記ブラケットが押込まれると前記係止部の凹部と凸部の結合が解かれ、ラッチの回転軸に前記弾性体の復元力が回転力として作用し、当該ラッチを垂直向きに回転させて前記テーブルの縁部を掛止するようにしたことを特徴とする乗物用シートの背面テーブル固定機構。
【請求項３】
ラッチの回転軸は、その一部を円形以外の異形断面部に形成すると共に、弾性体は前記異形断面部の回転によって弾性変形され、その復元力が前記軸の異形断面部に逆方向の回転力として作用するようにした請求項１又は２の乗物用シートの背面テーブル固定機構。
【発明の詳細な説明】
【技術分野】
【０００１】
本発明は鉄道車輌や航空機などに設置される乗物用シート（座席）の背もたれの背面に設けられた折畳み組立て自在（起伏自在）のテーブルを折畳み収納するとき、当該テーブルを背もたれ背面に自動的に固定するための機構に関する。
【背景技術】
【０００２】
従来より鉄道車輌等の乗物用シートの背もたれに、後のシートに座っている人が使用するためのテーブルが、不使用時には背もたれ背面に沿って折畳み収納し、使用時には、背もたれ背面からテーブルを手前側に引き起して飲食物などを載置することができるように設けられたシートの背面テーブルが知られている。
【０００３】
このようなテーブルの不使用時の折畳み収納姿勢を背もたれ背面に固定する手段としては、折畳まれたテーブルの上縁に引掛けられてそのテーブルを保持する回転式ラッチ、又は、バネ力で常時突出しているラッチに折畳むテーブルの側縁や上縁を押付けることによりバネ力に抗してそのラッチを後退させ、テーブルの縁がそのラッチを越えると前記ラッチがバネ力で突出してテーブルの縁を保持するバネ式ラッチ、或は、折畳んだテーブルの左右側面をシート背面に設けたボールプランジャで挟持するタイプや、テーブルの起伏動作の軸近傍に押当てバネを設け、そのバネ力で折畳んだテーブルを保持するタイプなど、種々の固定機構が知られている。
【０００４】
上記のテーブル固定機構の中で、回転式ラッチは、人がラッチを手で回転させることにより、収納時にテーブルの縁をそのラッチに保持させることと、使用時にラッチから開放（解除）することを行うため、バネ力を利用した固定機構に比べバネ力が弱くなったりバネが壊れたりして保持力が低下したり保持力を失うおそれがない利点がある一方、テーブルを使用姿勢に起すときも折畳み収納するときのいずれにおいても、人手によりラッチを回転操作することが不可欠である。
【０００５】
また、固定機構が回転式ラッチのシート背面テーブルでは、テーブルを折畳み収納するため、そのテーブルを一方の手で収納位置までスイングさせて押上げると共に、背もたれ背面にテーブルを当接させたところで他方の手によりラッチを回転させるという、両手を使わなければならない煩しさがある。
【発明の開示】
【発明が解決しようとする課題】
【０００６】
そこで本発明では、回転式ラッチでテーブルの折畳み収納時の保持を確実になし得ると同時に、収納時にラッチの回転操作を人手により行わなくても自動的にラッチを回転させ、テーブルの折畳み操作だけでラッチをテーブル保持側に位置付けることができるようにしたテーブルの固定機構を提供することを課題とするものである。
【課題を解決するための手段】
【０００７】
上記課題を解決することを目的としてなされた本発明テーブル固定機構の第一の構成は、ベース部材に、テーブルを挟持して保持するラッチとブラケットを、ラッチはベース部材に回転自在に、ブラケットはバネを介在させた水平な軸によりベース部材に対し前後揺動かつ復帰可能に設け、前記ラッチには、テーブル保持位置を原位置とすると共にテーブル開放位置に回転させたとき原位置に復帰させる回転力を付与する弾性体を関連させて設ける一方、前記ブラケットには、テーブル開放位置で原位置復帰力を受けている前記ラッチをその開放位置に保持する係止部を設けると共に、当該ブラケットがテーブルで押されて後退側に揺動すると前記ラッチを保持している係止部が前記ラッチの係止部から離脱することにより、ラッチを前記弾性体による回転力によって原位置に自動復帰させるようにしたことを特徴とするものである。
【０００８】
本発明固定機構のより具体的な構成は、操作ツマミ部と該ツマミ部と直交した回転軸を一体に具備して平面略Ｔ状などに形成したラッチと、該ラッチをその回転軸により前面側において回転自在に支持したベース部材と、該ベース部材の裏面に前記ラッチの回転軸と直交する軸によりバネを介在させて支持され、かつ、前記バネにより垂直姿勢への復帰力が作用する前後揺動可能なブラケットを備えており、前記ラッチはそのツマミ部を垂直向きにする弾性体の変形による回転力が回転軸に付与されるようにして設ける一方、前記ツマミ部がテーブルロックを解除する水平姿勢に回されると、前記弾性体が回転軸によって変形されると共に、前記ツマミ部裏面と前記ブラケット前面とがそれらに形成した係止部の凸部と凹部において結合してこのツマミ部の水平姿勢を保持し、収納されるテーブル縁部によって前記ブラケットが押込まれると前記係止部の凹部と凸部の結合が解かれ、ラッチの回転軸に前記弾性体の復元力が回転力として作用し、当該ラッチを垂直向きに回転させて前記テーブルの縁部を掛止するようにしたことを特徴とするものである。
【発明の効果】
【０００９】
折畳み収納するテーブルの上端縁でブラケットを押すと、変形した弾性体の復元力による回転力を受けたままでブラケットに水平姿勢に保持されていたラッチの保持が解かれ、前記弾性体の復元力が回転力として作用する回転軸が回って当該ラッチを垂直姿勢（ロック姿勢）にし、ブラケットを押したテーブル上端縁に引掛るので、自動的に回ったラッチによってテーブルが掛止される。
【発明を実施するための最良の形態】
【００１０】
次に本発明テーブル固定機構の実施の形態例について図を参照しつつ説明する。この説明で参照する図は、図１が本発明固定機構の一例の正面図、図２は図１の固定機構の裏面図、図３は図１，図２の固定機構における図１の右側面図、図４は図１の固定機構の平面図、図５は図１の固定機構の底面図、図６は本発明固定機構の構成部材を説明するための図で図４の分解図、図７は同じく構成部材を説明するための図で図３の分解図、図８(a)〜(d)は図１のＡ−Ａ矢視断面における本発明固定機構の動作状態を時系列的に示した断面図、図９(a)〜(c)は、図１のＢ−Ｂ矢視断面における動作状態を時系列的に示した断面図、図10は公知の車輌用シートにおけるテーブルの一例を示す背面からの斜視図である。
【００１１】
図10は鉄道車輌用シートＳをその背面から見た状態で、各シートＳにおける背もたれSbの背面に、左右の支持アームAmに支持されたテーブルTaが、不使用時には背もたれSbの背面に密着するように折畳まれ垂直向きにされたラッチＬにより係止固定されて収納されており、使用時には前記ラッチＬを水平向きに回転してテーブルTaの係止を解除し、図10の右側のようにテーブルTaを手前側に引出して使用状態にしている。この場合のラッチＬは、折畳み収納時、及び、係止解除して組立てる時のいずれにおいても、人が手で回して操作するタイプである。本発明は、この回転操作の煩しさや操作し忘れなどの問題点を解消し、テーブルTaの折畳み収納時のラッチＬの人手による回転操作を不要にしたラッチを備えた固定機構を提供するので、以下この点について説明する。
【００１２】
まず、図１〜図７、主として図６と図７により、本発明固定機構の一例の構成部材について説明する。これらの図において、１は本発明固定機構のベース部材で、次の構成を具備している。即ち、ベース部材１は正面から見て略半円形状の縁1bを有する正面部材1aと、該正面部材1aの下部の左右から裏面側に突出させて設けた略翼状をなす左右の取付座1cと、正面部材1aの下部の略中央に形成した後述するラッチ２を取付けるための軸受穴1dと、正面部材1aの裏面において、略中央の上部に設けた後述するブラケット３の取付用軸受部1eと、該軸受部1eの下方に凸状に形成されて、後述するブラケット３の前面凹部3cに嵌まり当該ブラケット３の姿勢を保持する凸部1fと、後述するブラケット３の前面に形成されたピン状突部3dの挿通穴1gを具備して形成されている。なお、1hは後述するブラケット３の取付用回転軸５に装着されるバネ４の端部4aを係止するためのバネ止め穴、1iは前記凸部1fの背面側に形成した後述するボール６を収納するボール受部である。
【００１３】
ラッチ２は、平面視横向き略Ｔ字状をなし、操作部となるツマミ部2aと、該ツマミ部2aの中央部から直交する向きに形成された軸2bと、ツマミ部2aの背面の左右側に形成された２つの凹部2cとを具備している。また前記軸2bは、ツマミ部2aとの接合部分を除く長さ方向の大半が断面楕円形部2dに形成されている。この、断面楕円形部2dは、その楕円の短径側がツマミ部2aの長さ方向と平行な向き（従って、長径側はツマミ部2aの上下幅（厚さ）方向に平行な向きに）となるように配置されている。なお、2eは前記楕円形部2dの後端近くに設けた後述する割ピン用の穴である。
【００１４】
ブラケット３は、上部にベース部材１における軸受部1eを挟持する２枚の壁状をなす軸取付部3aを有すると共に、該取付部3aの下方が、上下方向における中間部より下方が階段状に後退した舌片状部3bに形成され、かつ、階段状後退部分の上方前面側が、ベース部材１の背面（裏面）に形成した前記凸部1fに被さる凹部3cに形成されている。また、このブラケット３における舌片状部3bの前面には、前記ベース部材１に明けた２つの挿通穴1gを貫挿してラッチ２におけるツマミ部材2aの裏面に形成した２つの凹部2cに嵌まるピン状の凸部3dが設けられ、これらの凹凸部2c，3dによりラッチ２とブラケット３の係止部を形成している。
【００１５】
上記ブラケット３は、その軸取付部3aによってベース部材１における軸受部1eを挟持する態様で、このベース部材１の背面側に配置し、この状態で２つのクリップ状の巻きバネ４を介在させて回転軸５を軸取付部3aと軸受部1eの軸穴に貫通し、この回転軸５における前記バネ４，４の外側にバネ抜止め用の割ピン5b，5bを装着すると共に、バネ４，４の端部4aをバネ止め穴1hに係止させることにより、当該ブラケット３がベース部材１の背面に、回転軸５により角回転（揺動）可能に架装される。
【００１６】
６は、前記ブラケット３における凹部3cの背面を臨んでベース部材１における凸部1fに形成したボール受部1iとボール押え板７の間に配設される弾性体製の、例えばプラスチック系乃至ゴム系のボールで、その弾性（変形された復元力）によって前記ラッチ２における軸2bの楕円形部2dに回転トルクを付与するための部材である。ボール押え板７はベース部材１の軸穴1dに挿入されたラッチ２における軸2bにその穴7aにおいて支持されると共に、背後からバネ８により前方側へ押付けられている。8aはバネ８をその背後において支持するワッシャ、8bはワッシャ8aの抜止め用割ピンで、軸2bのピン穴2eに挿入されてこのワッシャ8aを支持する。
【００１７】
上記において、ラッチ２の軸2bにおける楕円形部2dの断面形状は、楕円形に限られず、回転したときボール６をその受部1iの内部で弾性変形させることができる断面形状、例えば、三角形，菱形，長方形などの形状であってもよい。また、ボール受部1iに入れるボール６の個数や形状も、真球状のボール１個に限られず、軸2bの楕円以外の断面形状に応じて角ブロック体や異形ブロック体、或は、２個のボールを入れることもある。要は、ラッチ２の軸2bを回転すると、その異形断面の変位によって当接する弾性体を変形させ、その変形の復元力が軸2bに戻り回転力として作用すればよい。
【００１８】
図６と図７により説明したベース部材１から割ピン8bまでの各構成部材により、図１〜図５に示した本発明固定機構の一例が構成されるが、図６により説明した各構成部材の組立状態は図４に示す通りであり、また、図７により説明した各構成部材の組立状態は図３に示す通りである。そこで、図示した本発明固定機構の動作について、図１のＡ−Ａ矢視断面を示した図８と、同じくＢ−Ｂ矢視断面を示した図９を参照しつつ説明する。
【００１９】
図１に示した本発明固定機構は、ラッチ２のツマミ部2aが15度程度右傾しているが、テーブルTaの通常のロック状態では、ほぼ垂直である。即ち、図３，図８(a)に仮想線で示すテーブルTaの上端縁がこのツマミ部2aの背面と、ブラケット３の舌片状部3bの前面の間に挟持されているときが、テーブルTaの折畳み収納状態であり、テーブルTaの上端縁の前面からラッチ２のツマミ部2aの背面が離脱しない限り、当該テーブルTaを手前側（図３，図８(a)の左方）に倒すことはできない。この意味で、図１のラッチ２の右傾角度でもテーブルTaのロック状態は維持される（図１参照）。
【００２０】
テーブルTaが上記のロック状態にあるとき、ラッチ２の軸2bにおける断面楕円形部2dは、その断面の短径側が上，下に向き、長径側が左右に向いた姿勢である。そして、ベース部材１におけるボール６の受部1iと押え板７に前後から保持されたボール６は、ラッチ２の軸2bにおける短径断面の上にあるため、元の真球状の形で保持されている（図８(a)参照）。
【００２１】
図８(a)のロック状態のテーブルTaを手前側（図８(a)では左側）に倒して使用状態にするためには、図１〜図５，図８(a)に示した垂直乃至ほぼ垂直向きにあるラッチ６のツマミ部2aを時計回り又は反時計回りいずれかの方向に回して水平乃至略水平な姿勢にし、当該ツマミ部2aの背面をテーブルTaから離脱させなければならない。
【００２２】
そこで、ツマミ部2aを水平姿勢に回転させると、ツマミ部2aの背面は係止していたテーブルTaから離脱するので、当該テーブルTaを手前側に倒して使用可能状態になる点は、従来のテーブルと同様である。本発明固定機構では、ツマミ部2aが水平姿勢に回されると、軸2bの断面楕円形状部2dが、その長径側を上，下に位置付けることとなり（図８(b)参照）、ボール６は軸2dの長径側の断面によりボール受部1iの内部で押圧され、ボール受部1iの内部で上下方向で圧縮された形に変形される。上下方向で圧縮されて変形したボール６は、その復元力が軸2bにおける楕円形断面の長径部に対し、右回転又は左回転の回転モーメントとして作用する。
【００２３】
しかし、本発明固定機構では、上記のツマミ部2aの水平姿勢への回転は、弾性体である上記ボール６の圧縮変形とその変形の復元力による軸2bに対するモーメントを生起する一方、これと同時に、水平になったツマミ部2aの裏面に形成している２つの凹部2cにブラケット３の前面に形成した２つのピン状凸部3dが嵌合するので、前記モーメントの軸2bに対する作用はロックされる。この作用により人手により水平に回されたツマミ部2aは、その回転エンド（水平姿勢）における節度感がツマミ部2aを回転操作する者に与えられると共に、その水平位置が保持される。なお、ツマミ部2aの凹部2cにブラケット３の凸部3dが嵌入するとき、当該ブラケット３は回転軸５において後退側に微小角回転してツマミ部2a裏面の平坦部と凸部3dの衝突干渉を回避している。
【００２４】
上記のようにしてロック解除され、手前に引き出されて使用されたテーブルTaを、用済み後に折畳み収納する場合、従来機構ではテーブルTaを立てて背もたれ背面に当接させ、この状態でツマミ部2aを手で垂直姿勢に回転させる必要があったが、本発明固定機構によれば、そのような回転操作は不要である。
【００２５】
即ち、テーブルTaの使用中に図８(b)，図９(a)の状態にある本発明固定機構では、テーブルTaを立ててその上端縁によってブラケット３の舌片状部3bを押付けると、その舌片状部3bは軸５を中心として後方（押込まれる側）に揺動する（図８(c)，図９(b)参照）。ブラケット３のこの揺動によってラッチ２におけるツマミ部2aの凹部2cに嵌入していたブラケット３の凸部3dがツマミ部2aの凹部2cから離脱し、この離脱と同時にロックされていた前記ボール６の圧縮変形の復元力に基づくモーメントが軸2bの楕円形部2dに作用するので、当該軸2bは短径側が上，下に向くように、即ち、ツマミ部2aを垂直にする側に回転するのである（図８(d)，図９(c)参照）。
【００２６】
この結果、本発明固定機構ではテーブルTaを引起して背もたれの背面側へ押込むとき、そのテーブルTaの上端部でブラケット３の舌片状部3bを押せば、ラッチ２が折畳み収納されるテーブルTaをロックする側に自動的に回転する。一方、テーブルTaで軸５を中心に回転して背もたれ背面側に押込まれたブラケット３は、バネ４の作用で元の位置に戻り、垂直になったラッチ２とともに図３の状態に戻って、テーブルTaを挟持した態様で固定することとなる。
【産業上の利用可能性】
【００２７】
本発明は以上の通りであって、乗物用シート、特に鉄道などの車輌用シートの背もたれの背面に設けられた折畳み式テーブルの折畳み収納時にテーブル固定用のラッチを人手によって回転操作することなく、テーブル固定側に自動的に回転するようにしたので、テーブルの折畳み収納に際してその固定動作を自動的に確実かつ省力的になすことができ、次のような具体的効果が得られる。
【００２８】
(イ) テーブルを収納する際、テーブルを正規の収納位置まで人手により押し込むだけでテーブルラッチが自動的に回り、テーブルが自動的に固定される。
(ロ) テーブルを収納する際、テーブルを正規の収納位置まで押し込むだけでテーブルが固定されるので、このテーブルを固定するためにラッチを手で回す動作が不要である。
(ハ) テーブルを固定するときラッチが自動的に回ることにより、ストッパーの掛け忘れがなくなる。
【図面の簡単な説明】
【００２９】
【図１】本発明固定機構の一例の正面図。
【図２】図１の固定機構の裏面図。
【図３】図１，図２の固定機構における図１の右側面図。
【図４】図１の固定機構の平面図。
【図５】図１の固定機構の底面図。
【図６】本発明固定機構の構成部材を説明するための図で図４の分解図。
【図７】同じく構成部材を説明するための図で図３の分解図。
【図８】図１のＡ−Ａ矢視断面における本発明固定機構の動作状態を(a)〜(d)に時系列的に示した断面図。
【図９】図１のＢ−Ｂ矢視断面における動作状態を(a)〜(c)に時系列的に示した断面図。
【図１０】公知の車輌用シートにおけるテーブルの一例を示す背面からの斜視図。
【符号の説明】
【００３０】
１    ベース部材
２    ラッチ
３    ブラケット
４    バネ
５    回転軸
６    ボール
７    押え板
８    バネ
【図１】
2005178680.tif 000003
【図２】
2005178680.tif 000004
【図３】
2005178680.tif 000005
【図４】
2005178680.tif 000006
【図５】
2005178680.tif 000007
【図６】
2005178680.tif 000008
【図７】
2005178680.tif 000009
【図８】
2005178680.tif 000010
【図９】
2005178680.tif 000011
【図１０】
2005178680.tif 000012